(57)【要約】【課題】コストが廉価で、抜栓時に泡の噴きこぼれが生じないようにするとともに、注出時に、クリ−ミーな泡を発生させるようにした発泡性液体用合成樹脂製壜を提供すること。【解決手段】合成樹脂製の壜であって、壜口壁内面に、多数の凸部または凹部が設けられていることを特徴とする。そして、凸部または凹部の形状が、半球状であること、或いは縦長または横長であること、或いは縦方向に延びる螺旋状であることを特徴とする。【選択図】        図１
2004149163.tif 000002
【特許請求の範囲】
【請求項１】
合成樹脂製の壜であって、壜口壁内面に、多数の凸部または凹部が設けられていることを特徴とする発泡性液体用合成樹脂製壜。
【請求項２】
凸部または凹部の形状が、半球状であることを特徴とする請求項１記載の発泡性液体用合成樹脂製壜。
【請求項３】
凸部または凹部の形状が、縦長または横長であることを特徴とする請求項１記載の発泡性液体用合成樹脂製壜。
【請求項４】
凸部または凹部の形状が、縦方向に延びる螺旋状であることを特徴とする請求項１記載の発泡性液体用合成樹脂製壜。
【発明の詳細な説明】
【０００１】
【発明の属する技術分野】
本発明は、ビール等の発泡性液体を充填密封して販売する発泡性液体用合成樹脂製壜に関する。
【０００２】
【従来の技術】
ビール等の発泡性液体用容器として、アルミ缶や壜等の容器の内面にＶ字状をなす凹部を設けた容器は、従来より知られている（例えば、特許文献１参照。）。
また、ビール壜の壜口に嵌着する注ぎ口として、内壁面を素焼きの陶器で形成した注ぎ口も、従来より知られている（例えば、特許文献２参照。）。
【０００３】
【特許文献１】
特開平成５年第９７１４９号公報  （第１図、第２図）
【特許文献２】
特開平成６年第３４５０９７号公報  （第３頁、第１図）
【０００４】
【発明が解決しようとする課題】
しかしながら、特許文献１記載のアルミ缶や壜では、少しの振動でも泡が発生して内圧が上がり、開缶、抜栓と同時に泡が噴きこぼれたり、発泡液を周辺にまき散らすという問題があった。
表面の凸部が、粒体を入れた塗料等で形成されているので、製造工程が増え、コストがかかるという問題があった。
また、特許文献２記載のものでは、注ぎ口の内壁面に陶器を配設するため製造工程、部品数が多くなり、コストがかかるという問題があり、さらに、陶器であるため、破損しやすいという問題があった。
【０００５】
本発明は、上記問題を解決することを課題として、コストが廉価で、抜栓時に泡の噴きこぼれが生じないようにするとともに、注出時に、クリ−ミーな泡を発生させるようにした発泡性液体用合成樹脂製壜を提供することを目的とする。
【０００６】
【課題を解決するための手段】
本発明は、上記の課題を解決するため、発泡性液体用合成樹脂製壜として、合成樹脂製の壜であって、壜口壁内面に、多数の凸部または凹部が設けられていることを特徴とする構成を採用する。
【０００７】
具体的な実施態様として、凸部または凹部の形状が、半球状であることを特徴とする構成、また、他の実施態様として、凸部または凹部の形状が、縦長または横長であることを特徴とする構成を採用する。
【０００８】
別実施態様として、凸部または凹部の形状が、縦方向に延びる螺旋状であることを特徴とする構成を採用する。
【０００９】
【発明の実施の形態】
次に、本発明の第１実施形態について図面を参照して説明する。
図１、２に示すように、本発明の発泡性液体用壜Ａは、壜体１と壜口２とから構成され、ＰＥＴその他の合成樹脂を用いて成形されている。
【００１０】
壜体１は、ブロー成形によって、任意な壜体形状に成形される。
壜口２は、その壁外面３にはねじ４が螺設され、壁内面５には、図２に示すように、数多くの半球状の凸部６が縦方向および横方向に等間隔をおいて並列されている。
【００１１】
凸部の形状は、図３に示すように、縦長状の凸部７、或いは図４に示すような横長状の凸部８であってもよい。
また、それぞれの凸部は、凸部の長さ、巾、凸部間の間隔、単位面積当たりの数は、適宜設定することができる。
【００１２】
壜の成形は、公知のように、射出成形、圧縮成形等により、有底円筒状のプリフォームを成形し、該プリフォームをブロー金型に挟持し、胴部に相当するプリフォーム部分を延伸成形することによって得られる。
その際、プリフォームの壜口部の内面に、上記形状の凸部を形成する。
【００１３】
次に、本発泡性液体用合成樹脂製壜の作用効果について説明する。
本発明品は、壜体に比し細い壜口壁内面に、半球状の凸部、或いは縦長状、または横長状の凸部を設けたので、壜口を通るビール等の発泡液は凸部によって撹拌発泡され、ビールを注ぎ出す時に、細かいクリ−ミーな泡が発生し、ビールの口当たりがよくなる。
また、泡の持続時間が長くなってビールの温度の上昇を抑制でき、いつまでも美味しいビールを楽しむことができる。
【００１４】
また、凸部が壜口壁内面にのみ設けられているので、壜を正立しているときには、液が凸部に触れることはなく、流通時での移動、家庭での取扱い時に、振動が与えられたりして液が凸部に触れることがあっても、狭い範囲でしか触れないから、開蓋時に内容液が噴きこぼれることはない。
【００１５】
また、壜口に設ける凸部は、射出成形または圧縮成形等で容易に得られるから、従来どおりの製造工程で成形することができ、従来の成形方法での製造コストに比べ、コストが高くなることもない。
【００１６】
次に、本発明の第２実施形態について図面を参照して説明する。
本実施形態は、壜口壁内面の凸部を螺旋状の突条に変更したものである。
本実施形態の発泡性液体用壜Ａａは、前記第１実施形態と同様に、ＰＥＴを用いて延伸ブロー成形によって得られたもので、図５に示すように、壜体１０と壜口１１とから構成され、壜口１１は、その壁外面１２にはねじ１３が螺設され、壁内面１４には、上下方向に延びる螺旋状突条１５が、周方向に等間隔に配設されている。
【００１７】
螺旋状突条１５の配列は、図５に示すものでは、互い違いに上下位置を変えるようにしている。
【００１８】
本実施形態も、内容液が螺旋状突条によって撹拌発泡され、前記第１実施形態と同様の作用効果を得ることができる。
【００１９】
前記各実施形態では、壜口壁内面に凸部を設ける構成としたが、壜口壁内面に凹部を設ける構成とすることもできる。
その作用効果は、凸部の場合と何ら変わらない。
【００２０】
また、前記各実施形態において、射出成形および圧縮成形の際、凸部の高さまたは凹部の深さは、プリフォームが金型から無理抜きできる範囲で自由に調整できるので、内容液に応じて調整し、所要のクリーミーな泡が得られるようにすることができる。
【００２１】
また、壜口に設ける凸部または凹部は、射出成形または圧縮成形等で容易に得られるから、従来どおりの製造工程で成形することができ、従来の成形方法での製造コストに比べ、コストが高くなることはない。
【００２２】
【発明の効果】
本発明は、上記のように構成されているから、次の効果を奏する。
ビールを注ぐ時に、クリーミーな泡が得られるので、ビールの口当たりが良く、泡の持続時間が長くなってビールの温度上昇を抑制でき、美味しいビールを楽しむことができる。
【００２３】
また、壜口に設ける凸部または凹部は、ブロー成形で容易に得られるから、製造工程が少なく、コストも低廉にすることができる。
【図面の簡単な説明】
【図１】本発明の第１実施形態に係る発泡性液体用合成樹脂製壜の一部縦断正面図である。
【図２】壜口の平面図である。
【図３】他の壜口の説明図で、（ａ）は平面図、（ｂ）は壜口部分の一部縦断正面図である。
【図４】他の壜口の説明図で、（ａ）は平面図、（ｂ）は壜口部分の一部縦断正面図である。
【図５】第２実施形態に係る発泡性液体用合成樹脂製壜の壜口の説明図で、（ａ）は平面図、（ｂ）は壜口部分の一部縦断正面図、（ｃ）は壜口壁内面の展開図である。
【符号の説明】
Ａ、Ａａ  発泡性液体用壜
１、１０  壜体
２、１１  壜口
３、１２  壁外面
４、１３  ねじ
５、１４  壁内面
６        半球状の凸部
７        縦長状の凸部
８        横長状の凸部
１５      螺旋状突条
【図１】
2004149163.tif 000003
【図２】
2004149163.tif 000004
【図３】
2004149163.tif 000005
【図４】
2004149163.tif 000006
【図５】
2004149163.tif 000007